(57)【要約】  家具および調度品の部品のための、特に、一方のパネルの縁部（Ｂ）を他方のパネルの表面（Ｓ）に対して締め付け位置に当接させるために両パネルを接近する方向（ｄ）に互いに向かって動かす必要がある、家具の肩部などの第１のパネル（１１）と、家具の基部または棚部または上部などの第２のパネル（１２）との間の結合のための、少なくとも一方のパネル（１１、１２）上に組み立てられるブロック用要素グループ（ＧＢ）および接続用要素グループ（ＧＣ）からなる非可視型結合装置であって、前前記ブロック用要素グループ（ＧＢ）は、前記ブロック用要素グループ（ＧＢ）が用いられるパネル（１１、１２）の厚さ（ＳＰ）内に含まれる座部（Ｓ１、Ｓ１’）のなかに挿入され、記座部（Ｓ１、Ｓ１’）は、前記方向（ｄ）に対して垂直な軸（Ｘ）を有し、前記パネル（１１，１２）の後縁（Ｂ１）から前記パネル（１１、１２）の内側に向かって延びて、接続されたときの２つのパネル（１１、１２）のなかに単一の可視孔（３０）を形成することを特徴とする結合装置である。【選択図】図９
2018529056.tif 000002
【特許請求の範囲】
【請求項１】
家具および調度品の部品のための、特に、一方のパネルの縁部（Ｂ）を他方のパネルの表面（Ｓ）に対して締め付け位置に当接させるために両パネルを接近する方向（ｄ）に互いに向かって動かす必要がある、家具の肩部などの第１のパネル（１１）と、家具の基部または棚部または上部などの第２のパネル（１２）との間の結合のための、少なくとも一方のパネル（１１、１２）上に組み立てられるブロック用要素グループ（ＧＢ）および接続用要素グループ（ＧＣ）からなる非可視型結合装置であって、
前記ブロック用要素グループ（ＧＢ）は、前記ブロック用要素グループ（ＧＢ）が用いられるパネル（１１、１２）の厚さ（ＳＰ）内に含まれる座部（Ｓ１、Ｓ１’）のなかに挿入され、前記座部（Ｓ１、Ｓ１’）は、前記方向（ｄ）に対して垂直な軸（Ｘ）を有し、前記パネル（１１、１２）の後縁部（Ｂ１）から前記パネル（１１、１２）の内側に向かって延びて、接続されたときの２つのパネル（１１、１２）のなかに単一の可視孔（３０）を形成することを特徴とする結合装置。
【請求項２】
前記座部（Ｓ１、Ｓ１’）は、実質的に細長い形態を有することを特徴とする請求項１に記載の結合装置。
【請求項３】
前記ブロック用要素グループ（ＧＢ）は、前記ブロック用要素グループ（ＧＢ）が用いられる前記パネル（１１、１２）の前記厚さ（ＳＰ）内に含まれる前記座部（Ｓ１、Ｓ１’）のなかに挿入され、前記座部（Ｓ１、Ｓ１’）は、前記方向（ｄ）に垂直な軸（Ｘ）に沿って、前記パネル（１１、１２）のなかに向かって縁部（Ｂ１）から延びることを特徴とする請求項１に記載の結合装置。
【請求項４】
前記結合装置は、前記パネル（１２または１１）の孔（３０、３０’）に配置され、他の前記パネル（１１または１２）上に配置され、かつ他の前記パネル（１１、１２）に対して横方向に位置する孔（３５；３２、３３）から延び、ブロックに用いられるピン（３４、３４’、３４”）接続用要素グループ（ＧＣ）に作用し、ブロック用要素グループ（３９、３９’、３１）を含むことを特徴とする請求項１に記載の結合装置。
【請求項５】
前記基部（１１）内の前記孔（３０）は水平方向に延びることを特徴とする請求項４に記載の結合装置。
【請求項６】
前記装置は、前記ブロック用要素グループ（ＧＢ）が、前記パネル（１１、１２）の背後に位置する第１の孔（３０、３０’）から作用し、前記ピン接続用要素グループ（ＧＣ）が前記肩部（１１）に形成された第２の孔（３５）内の前記肩部（１１）と結合可能となるように構成されることを特徴とする請求項１から５のいずれか一項に記載の結合装置。
【請求項７】
前記ブロック用要素グループ（ＧＢ）は、止まり孔（３０）に挿入された細長いブッシュまたは管状要素（３１）を含み、前記止まり孔（３０）は、第１のパネル（１２、１１）に形成され、第１および第２の止まり孔（３２、３３）と交差し、前記第１および第２の止まり孔（３２、３３）は、前記止まり孔（３０）に対して垂直で、互いに離間し、かつ前記第１のパネル（１２、１１）にも形成され、前記第１および第２の止まり孔（３２、３３）のそれぞれは、ピン（３４、３４’、３４”）の突出部を受容するように適合されていることを特徴とする請求項１から６のいずれか一項に記載の結合装置。
【請求項８】
前記ピン（３４、３４’）は、その端部の一方が、第２のパネル（１１、１２）において横方向止まり孔（３５）に配置され、前記ピン（３４、３４’）のネジ山付き端部（３７）を受容するための雌ネジ付きブッシュ（３６）でブロックされることを特徴とする請求項７に記載の結合装置。
【請求項９】
前記ピン（３４、３４’）は、その突出部に、ブロックキンググラブネジ（３９、３９’）の先端のための収容部（３８、３８’）を含むことを特徴とする請求項７または８に記載の結合装置。
【請求項１０】
前記細長いブッシュまたは管状要素（３１）は中空であり、２つの横断貫通孔（４０、４０’）が設けられ、前記２つの横断貫通孔（４０、４０’）は、前記ブッシュ（３１）が前記孔（３０）内に完全に挿入されると、前記２つの止まり孔（３２、３３）と整列する位置となるように、相互に離間して前記パネル（１２、１１）に形成されることを特徴とする請求項７から９のいずれか一項に記載の結合装置。
【請求項１１】
前記２つの横断貫通孔（４０、４０’）の近傍にある前記ブッシュ（３１）には、前記ブロック用グラブネジ（３９、３９’）の外側ネジ付き面と補完的に係合するのに適合した内面（４１、４１’）のネジ付き部が設けられることを特徴とする請求項１０に記載の結合装置。
【請求項１２】
第１のグラブネジ（３９）は、回転駆動工具（４５）の細いステム部（４６）の通過を可能とするように（４８に）同心に穿孔され、第２のグラブネジ（３９’）は、通常のドライバー（４７）の先端用の座部（４４）を有することを特徴とする請求項１１に記載の結合装置。
【請求項１３】
前記ブロック用要素グループ（ＧＢ）は、パネル（１２または１１）の後部に形成され、組み立てられたときに家具および調度品の後部に位置する垂直な孔（３０、３０’）から挿入可能な少なくとも１つのグラブネジ（３９）を含むことを特徴とする請求項７に記載の結合装置。
【請求項１４】
前記接続用要素グループ（ＧＣ）は、別のパネル（１１または１２）における横方向止まり孔（３５）のなかに端部が位置する少なくとも１つのピン（３４、３４’）を含むことを特徴とする請求項１３に記載の結合装置。
【請求項１５】
前記ブロック用要素グループ（ＧＢ）は、パネル（１２または１１）の後部に相互に平行に位置し、組み立てられたときに家具の後部に垂直に配置される一対の孔（３０、３０’）に挿入可能な一対のグラブネジ（３９）を含むことを特徴とする請求項７に記載の結合装置。
【請求項１６】
接続される２つのパネル（１１、１２）の前記第１および第２の孔（３２、３３）が、接続用要素グループ（ＧＣ）の関節要素の各端部を受容することを特徴とする請求項７に記載の結合装置。
【請求項１７】
前記関節要素は、２つのピン（３４”）で構成され、前記２つのピン（３４”）は、両ピンの対向する端部で中央ヒンジ（４９）によって関節接続されて前記関節要素となっており、前記２つのピン（３４”）は、接続される両パネルまたは肩部および基部（１１、１２）に存在する孔（３２、３３）に挿入されることを特徴とする請求項１６に記載の結合装置。
【請求項１８】
前記結合装置は、前記パネル（１２または１１）の孔（３０）に配置され、ブロックされるピン（３４、３４’）接続用要素グループ（ＧＣ）に作用し、前記他のパネル（１２または１１）に形成された孔に配置され、その孔から延びるグラブネジ（３９）ブロック用要素グループ（ＧＢ）を含み、前記ピン（３４）接続用要素グループ（ＧＣ）は、その突出した自由端の一方において、把持手段（５０）の形態をなし、前記把持手段（５０）は、結合において前記他のパネル（１１または１２）に対して横方向に位置する孔（３５）のなかに配置できることを特徴とする請求項１に記載の結合装置。
【請求項１９】
前記把持手段（５０）は、前記他方のパネル（１１または１２）の前記孔（３５）内に配置された拡張ピンを含むことを特徴とする請求項１８に記載の結合装置。
【請求項２０】
前記拡張ピンには、前記孔（３５）の内壁と係合するための外歯（５２）が設けられることを特徴とする請求項１９に記載の結合装置。
【請求項２１】
前記把持手段（５０）には、前記ピン（３４）接続用要素グループ（ＧＣ）の突出した自由端上に形成された内部部分があり、テーパ状になって前記自由端で拡大する拡大部分（５４）を終端とし、内部が中空の外側管状要素（５５）に摺動可能に挿入され、前記外側管状要素（５５）には、外側に歯部５２の前記歯が設けられ補完的な形態を有することを特徴とする請求項１９または２０に記載の結合装置。
【請求項２２】
前記把持手段（５０）は、前記グラブネジ（３９）ブロック用要素グループ（ＧＢ）によって作動させることが可能であることを特徴とする請求項１８から２１のいずれか一項に記載の結合装置。
【発明の詳細な説明】
【技術分野】
【０００１】
本発明は、家具および調度品の部品のための非可視型結合装置に関する。
【背景技術】
【０００２】
例えば、家具の肩部と基部またはそうでなければ棚部との間の２つのパネルの接続は、現在、様々な手順および異なる解決法を用いて家具および調度品の分野において達成されている。
【０００３】
これらの解決法の例が、米国特許第７４９４２９７号明細書（特許文献１）、米国特許第５５６７０８１号明細書（特許文献２）、米国特許第６５４７４７７号明細書（特許文献３）および米国特許第４４０８９２３号明細書（特許文献４）によって公知となっている。
【０００４】
これらの公知の技術的解決法は、接続に影響を及ぼす要素を配置するのに必要な座部または孔の閉鎖要素を必要とするので、ある程度の複雑さを有し、そうでなければ一定の可視性を有する。
【０００５】
この点に関して、図１〜図６は、例えば家具の肩部と、基部（そうでなければ共通の棚部または上部でもあり得る）との間の家具および調度品の部品についての結合装置のいくつかの公知の解決法を示している。
【０００６】
図１および図２に示す公知の解決法では、家具の２つの肩部１１、１２および基部１３および上部１４に孔を設けなければならない。特に、同じ接続部を示す図２の部分にこれらは両方が部分的に示されている。実際、肩部１１には横方向止まり孔１５が設けられ、基部１３には二重孔１６、１７が設けられる。具体的には、肩部１１の孔１５に整列させるための横方向孔１６と、基部１３の上面に形成された垂直孔１７であり、垂直孔は、ブロック（固定化）用要素、例えばグラブネジ１８（無頭金属ネジ）の挿入のために第１の孔１６と交差し、両方の孔が止まり孔（有底孔）である。
【０００７】
前記孔１５は、肩部１１に垂直な軸Ａを有する。
【０００８】
この公知の結合装置は、肩部１１の孔１５内に位置する雌ネジ付きブッシュ２１の内側にピン１９をその第１のネジ山付き端部２０において配置する。ピン１９は、他端部２２に、グラブネジ１８の端部用の収容部２３を含む。
【０００９】
ブッシュ２４が、基部１３の垂直孔１７に収容され、ブッシュ２４にはピン１９の突出端部２２を受容するための横方向貫通孔２５と、グラブネジ１８を受容する垂直ネジ付き貫通孔２６が設けられている。
【００１０】
このようにして、図２に示すように、公知の結合装置を形成する前記要素を配置して、矢印Ｆに沿って肩部および基部を接触配置させることにより図２の結合が得られ、ここではピン１９が基部１３の孔１６およびブッシュ２４に挿入されている。
【００１１】
グラブネジ１８は、工具（図示せず）を用いてブッシュ２４にねじ込まれ、グラブネジ１８の先端がピン１９の自由端２２に設けられた収容部２３内に配置される。
【００１２】
グラブネジ１８を締め付けると、基部１３が肩部１１に押し付けられ、図２に示す最終的な安定位置が得られる。
【００１３】
この公知の解決法では、ブロック用要素グループは基部１３にあり、上部１４と同様に、基部に対して垂直に、かつ肩部と基部および上部との間で移動する方向即ち接近する方向に対して垂直にそれらを締め付けるように配置される。ブロック用要素グループが協働する相対ピンのみが肩部またはサイドパネルの厚さ内に設けられている。
【００１４】
図１に示すこの最終的な組み立て位置は、全体として、通常は閉鎖キャップ（図示せず）で覆われている孔１７の端部が基部１３の上面および上部１４の下面にどのように存在するかを示している。
【００１５】
前記孔および対応するキャップは、結合装置の目に見える部分を形成し、最初は、キャップの存在はあるものの、結合部がどのように形成されたかを示すように美的な面で有効な外観を呈していない。さらに、特に基部の表面と整合させることが困難なキャップ自体は、それが最小限であっても物体を挿入するための障害となり、基部の上面に対して突出部を形成する。
【００１６】
さらに、各結合部のための互いに交差する少なくとも２つの孔が基部に存在すると、基部自体が弱くなり、破損を引き起こす原因となり得る荷重を支持しなければならなくなる。
【００１７】
図３および図４は、公知の結合装置を形成する要素が、肩部が基部および上部にあり、前の例とは逆の位置関係で配置されている前の例と同様の状況を示している。
【００１８】
簡略化のために、前の例と同等の要素は、符合＜’＞を追加した同じ番号で示されている。
【００１９】
要するに、基部１３と上部１４には垂直止まり孔１５’が設けられており、各肩部１１には二重孔１６’、１７’が設けられている。具体的には、基部１３（または上部１４）の孔１５’に整列する垂直孔１６’と、関連する肩部１１に形成された、ブロック要素、例えばグラブネジ１８’の挿入のための第１の孔１６’と交差する横方向孔１７’を含み、第１の孔および横方向孔の両方が止まり孔である。
【００２０】
前記孔１５’は、基部１３および上部１４に垂直な軸Ａ’を有する。
【００２１】
さらに、既に特定したように、結合装置には、基部１３または上部１４の孔１５’内に配置された雌ネジ付きブッシュ２１’の内部に、第１のネジ山付き端部２０’を有するピン１９’が設けられる。ピン１９’は、他端部２２’に、グラブネジ１８’の端部用の収容部２３’を含む。
【００２２】
ブッシュ２４’は、肩部１１の垂直孔１７’内に収容され、ピン１９’の突出端部２２’を受容するための横方向貫通孔２５’と、グラブネジ１８’を受容する横方向ネジ付き貫通孔２６’とを備える。
【００２３】
このように、公知の結合装置を形成する前記要素を配置し、矢印Ｆ’に沿って肩部および基部を接触配置することにより、図４に示すように、ピン１９’が肩部１１の孔１６’およびブッシュ２４’に挿入されている図４の結合が得られる。
【００２４】
この解決法はまた、大部分が目に見える結合装置の孔および対応するキャップに関する問題、美的な面で有効な外観を呈しておらず、前に示した妨害および弱化を生じる同様の問題を有する。
【００２５】
肩部、基部、および対向面２７を有する上部または棚部を４５度で接続する場合には、より多くの孔が必要とされるので、上記の問題は倍増する。
【００２６】
図５および図６は、この公知の解決法を示しており、同等な要素は符合＜”＞を追加した同じ数字で示されている。
【００２７】
これらの図は、前の２つの場合の孔１５または１５’が存在しないことを明確に示しているが、対向する部品における家具のすべての要素（肩部、基部および上部）に、以前に示した孔１６、１７または１６’、１７’が形成されている。この場合、孔は１６”と１７”と表示される。
【００２８】
この場合、実際に結合装置には、ネジ山付き端部のない一対のピン１９”が設けられ、基部１３または上部１４の孔１６”およびそれぞれの肩部１１の内側に位置するヒンジピン２８によって互いに接続されていることが、図５および図６に見られる。さらに、上述の孔１７”は、基部１３または上部１４内に、また孔１６”に垂直なそれぞれの肩部１１に配置されている。
【００２９】
こうして相互に接続されたピン１９”は、他方の自由端２２”に、グラブネジ１８”の端部のための収容部２３”を含む。
【００３０】
同様に、ブッシュ２４”は、肩部１１または基部１３または上部１４の２つの孔１７”に収容され、これには各ピン１９”の突出端部２２”を受容するための貫通孔２５”と、グラブネジ１８”を受容するネジ付き貫通孔２６”とが設けられている。
【００３１】
このように公知の結合装置を形成する前記要素を配置し、４５度をなす対向面２７によって肩部および基部または肩部および上部を接触配置することにより、グラブネジ１８”が挿入され、それらを適所にブロックすると図６の安定した結合が得られる。
【００３２】
しかし、このさらなる解決法は、大部分が目に見える結合装置のかなりの数の孔および対応するキャップに関連する同じ問題、美的に有効な外観を呈さず、以前に指摘した妨害および脆弱化を引き起こす同じ問題を有する。
【００３３】
欧州特許出願公開第２７０５７７５号明細書（特許文献５）は、壁に固定され、互いに協働する２つの異なるブラケットの存在により、家具モジュールと棚部とを組み合わせて壁掛けするためのシステムに関し、ここでは第１のブラケットは家具モジュール専用で、第２のブラケットは棚部専用である。棚部５３Ａは、実際には、ブラケットＲＭＡによって壁掛けされ、家具モジュールはブラケット５２によって壁掛けされる。しかし、ブラケットの構成は、両者が掛けられなければならない壁Ｐに対する家具モジュールおよび棚部の両方の配置に関するものである。
【００３４】
国際公開第２００９／０９４７２０号（特許文献６）は、ブロック用要素グループと接続用要素グループとを含む、上記した公知の技術による第１のパネルと第２のパネルとの間の結合装置に関するものであり、ここでは、ブロック用要素グループの最後のネジが接続する２つのパネルの一方の内側にはっきりと見えてしまう。
【先行技術文献】
【特許文献】
【００３５】
【特許文献１】米国特許第７４９４２９７号明細書
【特許文献２】米国特許第５５６７０８１号明細書
【特許文献３】米国特許第６５４７４７７号明細書
【特許文献４】米国特許第４４０８９２３号明細書
【特許文献５】欧州特許出願公開第２７０５７７５号明細書
【特許文献６】国際公開第２００９／０９４７２０号
【発明の概要】
【発明が解決しようとする課題】
【００３６】
したがって、本発明の一般的な目的は、上述した公知の技術の欠点を、極めて単純で経済的で、特に機能的な方式で解決することができる、肩部または基部のような家具および調度品の部品間の結合装置を提供することである。
【００３７】
したがって、本発明のさらなる目的は、肩部および基部または上部などの家具および調度品の部品間の結合装置であって、上に示したすべての家具の要素の前側に結合装置の孔がないか、またはそうでなければ操作要素がないので、観察者に見えず、結果として高い美観上の価値を有する結合装置を提供することである。
【００３８】
本発明の別の目的は、肩部および基部または上部などの家具および調度品の部品間の結合装置であって、基部の上面または上部の下面から突出していない結合装置を提供することである。
【課題を解決するための手段】
【００３９】
本発明の構造的および機能的特徴および公知技術に対する利点は、同発明の実施例を示す添付の概略図を参照してなされる以下の説明からさらに明らかとなろう。
【図面の簡単な説明】
【００４０】
【図１】従来技術の家具および調度品の結合装置の第１の実施形態を示している、家具の斜視図である。
【図２】従来技術の家具および調度品の結合装置の第１の実施形態を示している断面図であり、家具および調度品の例えば肩部と、基部またはそうでなければ上部または棚部との間の、家具および調度品の部品に配置される従来技術の結合装置の第１の実施形態を示している。
【図３】従来技術の家具および調度品の結合装置の第２の実施形態を示している、家具の斜視図である。
【図４】従来技術の家具および調度品の結合装置の第２の実施形態を示している断面図であり、家具および調度品の例えば肩部と、基部またはそうでなければ上部または棚部との間の、家具および調度品の部品に配置される従来技術の結合装置の第２の実施形態を示している。
【図５】従来技術の家具および調度品の結合装置の第３の実施形態を示している、家具の斜視図である。
【図６】従来技術の家具および調度品の結合装置の第３の実施形態を示している断面図であり、家具および調度品の例えば肩部と、基部またはそうでなければ上部または棚部との間の、家具および調度品の部品に配置される従来技術の結合装置の第３の実施形態を示している。
【図７】例えば家具の２つの肩部と、基部と上部または棚部との間にそれぞれ配置された同じ家具および同様の調度品の部品を安定的に接続するための、本発明による結合装置の第１の実施形態を使用する家具の前側からの斜視図である。
【図８】例えば家具の２つの肩部と、基部と上部または棚部との間にそれぞれ配置された同じ家具および同様の調度品の部品を安定的に接続するための、本発明による結合装置の第１の実施形態を使用する家具の後部からの斜視図である。
【図９】第１の実施形態の２つの結合装置の部品、例えば図７の家具の２つの肩部と、基部またはそうでなければ棚部との間の部品をさらに強調して示した拡大断面図である。
【図１０】図９の装置の詳細断面図であり、結合装置と関連する肩部と棚部を分解図で示し、図１１および図１２とともに、一旦前記部品が接触配置され、互いに挿入された後に、前記結合装置の２つの部品を作動させるために、前記部品に導入されたドライバーによって組み立てられかつ作動する装置を示す図である。
【図１１】図９の装置の詳細断面図であり、結合装置と関連する肩部と棚部を分解図で示し、図１０および図１２とともに、一旦前記部品が接触配置され、互いに挿入された後に、前記結合装置の２つの部品を作動させるために、前記部品に導入されたドライバーによって組み立てられかつ作動する装置を示す図である。
【図１２】図９の装置の詳細断面図であり、結合装置と関連する肩部と棚部を分解図で示し、図１０および図１１とともに、一旦前記部品が接触配置され、互いに挿入された後に、前記結合装置の２つの部品を作動させるために、前記部品に導入されたドライバーによって組み立てられかつ作動する装置を示す図である。
【図１３】図７〜図１２で使用される装置の部品を、分解して互いに離された状態で示す拡大斜視図である。
【図１４】ヒンジピンによって接続された同じ要素が家具の２つの肩部と、基部および上部または棚部との両方に配置される、本発明による結合装置の第２の実施形態を使用する家具の正面側からの斜視図である。
【図１５】ヒンジピンによって接続された同じ要素が家具の２つの肩部と、基部および上部または棚部との両方に配置される、本発明による結合装置の第２の実施形態を使用する家具の、部分的に断面で示す図１４とは異なる角度からの装置の斜視図である。
【図１６】本発明の第２の実施形態の図１４および図１５に示す２つの結合装置の部品の、強調され拡大された詳細をさらに示す拡大断面図である。
【図１７】２つの結合装置の種々の詳細を示す、図１６の接続領域に対応する線ＸＶＩＩ−ＸＶＩＩ面の断面図である。
【図１８】家具の２つの肩部と、基部および上部または棚部との間にも配置されている、本発明による結合装置の第３の実施形態を使用する家具の前側からの斜視図である。
【図１９】図１８に示す本発明の第３の実施形態の２つの結合装置の拡大断面図である。
【図２０】家具の２つの肩部と、基部および上部または棚部との間にも配置されている、本発明の第４の実施形態による結合装置を使用する家具の前側からの斜視図である。
【図２１】図２０に示す本発明の第４の実施形態の２つの結合装置の拡大断面図である。
【図２２】本発明による結合装置の第５の実施形態を使用する家具の前側からの斜視図であり、ここでは家具の２つの肩部と、基部および上部または棚部との間にも配置される。
【図２３】図２２の本発明の第５の実施形態の２つの結合装置の拡大断面図である。
【図２４】図２３の一部の断面詳細図であり、結合装置および対応する肩部および棚部が分解図の形で示されており、図２５、図２６、および図２７とともに、それぞれの部品が接触配置されて互いに挿入されると、２つの主なブロック段階においてドライバーによって組み立てられかつ作動する装置を示す図である。
【図２５】図２３の一部の断面詳細図であり、結合装置および対応する肩部および棚部が分解図の形で示されており、図２４、図２６、および図２７とともに、それぞれの部品が接触配置されて互いに挿入されると、２つの主なブロック段階においてドライバーによって組み立てられかつ作動する装置を示す図である。
【図２６】図２３の一部の断面詳細図であり、結合装置および対応する肩部および棚部が分解図の形で示されており、図２４、図２５、および図２７とともに、それぞれの部品が接触配置されて互いに挿入されると、２つの主なブロック段階においてドライバーによって組み立てられかつ作動する装置を示す図である。
【図２７】図２３の一部の断面詳細図であり、結合装置および対応する肩部および棚部が分解図の形で示されており、図２４、図２５、および図２６とともに、それぞれの部品が接触配置されて互いに挿入されると、２つの主なブロック段階においてドライバーによって組み立てられかつ作動する装置を示す図である。
【発明を実施するための形態】
【００４１】
初めに図７〜図１３を参照すると、これらは、本発明による家具および調度品の部品のための結合装置の第１の実施形態を示している。図に示すように、この例では、結合装置は、第１のパネル１１、例えば家具の肩部と、第２のパネル１２、例えば基部１２、またはいずかの場合にも異なるパネルまたは棚部または上部を接続し、結合しなければならない。特に、一方のパネルの縁部（Ｂ）を他方のパネルの面（Ｓ）に対して締め付け位置に当接させるためには、近接する方向（ｄ）に沿って互いに接近させる必要がある。
【００４２】
実施例に示すように、第１のパネル１１と第２のパネル１２は互いにほぼ垂直であるが、互いに傾斜していてもよい。
【００４３】
この非限定的な実施例では、第２のパネルまたは基部１２は、その（組み立てられたときに家具の後部に垂直に配置される）端部の両側部の一方に近接してブロック用要素グループＧＢのための座部Ｓ１が、基部１２の側部に平行に配置された横方向止まり孔３０の形態で設けられ、ここに細長いブッシュまたは管状要素３１がブロック挿入される。前記止まり孔３０は、第２のパネルまたは基部１２にも形成された、互いに離間している第１および第２の横方向止まり孔３２、３３と垂直に交差する。そして、これは基部または棚部１２の両側について同様である。
【００４４】
これらの第１の孔３２および第２の孔３３の各々は、ピン３４、３４’の突出部を受容し、その端部は、それぞれの座部Ｓ２の肩部１１に横方向止まり孔３５の形態で配置される。ピン３４、３４’のネジ山付き端部３７を受容するために雌ネジ付きブッシュ３６が前記止まり孔３５にブロック挿入される。前記ピン３４，３４’は、以下にさらに詳細に説明するように、肩部１１と基部１２とを安定的に相互接続するためにしっかりとブロックされる接続用要素グループＧＣを画定する。
【００４５】
さらに、ピン３４、３４’は、その突出部に、ブロックキンググラブネジ（無頭金属ネジ）３９、３９’の先端用の収容部３８，３８’を備える。
【００４６】
ピン３４、３４’は、以下にさらに詳細に説明するように、肩部１１と基部１２とを安定的に相互接続するためにしっかりとブロックされる接続用要素グループＧＣを画定する。
【００４７】
各ブロック用要素グループＧＢの基部１２に対して、座部Ｓ１は、基部１２の後端周縁部Ｂ１から基部１２の内部またはパネル自体に向かって延びている。
【００４８】
細長いブッシュまたは管状要素３１は、各ブロック用要素グループＧＢの横方向孔３０内に収容され、図９に示す例では、同じ孔３０の止まり底に当接する。
【００４９】
細長いブッシュまたは管状要素３１は中空であり、２つの横断貫通孔４０、４０’が設けられ、２つの横断貫通孔は、ブッシュ３１が孔３０に完全に挿入されると、前記２つの止まり孔３２，３３と整列する位置に存在し、互いに離間しており、第２のパネルまたは基部１２に形成される。
【００５０】
また、２つの横断貫通孔４０，４０’の近傍において中空のブッシュ３１には、内面４１、４１’のネジ付き部分が設けられ、これはブロックキンググラブネジ３９，３９’の外面と補完的に係合するのに適合していることに留意されたい。
【００５１】
第１のグラブネジ３９は、回転駆動工具４５の細いステム部４６が通過できるように、符合４８で示すように中央に穿孔されており、第２のグラブネジ３９’は、第１のグラブネジ３９にも存在する通常のドライバー４７の先端のための唯一の座部４４を有することにも留意されたい。
【００５２】
組み立て中に対向する結合領域において基部またはパネル１２と肩部１１の両方は、必ずしもそうである必要はないが、好ましくは、様々な止まり孔４２を有し、この止まり孔の各々は、組み立てられたときに部品を安定的に配置させるために協働するブロック用プラグまたはダボ４３の一方の側および他方の側の半分を受容するのに適したものである。
【００５３】
その結果、一方の構成要素３８、３９と他方の構成要素３８’、３９’は、以下に説明するように、ピン３４、３４’からなる上述の接続用要素グループＧＣに作用するのに適合したブロック用要素グループＧＢを形成する。
【００５４】
まず、図１０に示すように、家具に配設された各結合装置グループ、すなわち、その部品（基部または棚部または肩部）に配設された結合装置グループの各々ために、様々な構成要素を配置しなければならない。
【００５５】
ピン３４，３４’（およびブロック用プラグまたはダボ４３も）は、実際には、肩部１１において、それぞれの座部または孔３５および４２に配置される。細長いブッシュまたは管状要素３１は、孔３０の底部に当接するように、基部または棚部１２において、孔３０または座部Ｓ１に配置される。グラブネジ３９’は、直後に、まず横断方向孔３３に近い雌ネジ付き面４１’の部分に対して挿入され、その直後にグラブネジ３９は雌ネジ付き面４１の横断方向孔３２に近い部分に対して挿入される。
【００５６】
グラブネジ３９および３９’は、各肩部１１を基部１２または棚部１２に向かって動かしたとき、ピン３４、３４’の自由端が通過できるように挿入されなければならない。このようにして、ピン３４および３４’は、図１１に示された位置でそれぞれの孔３２および３３に完全に挿入され、ダボまたはプラグ４３も基部または棚部１２のそれぞれの孔４２に挿入される。
【００５７】
肩部１１の縁部Ｂを基部１２の面Ｓに向けて動かし、ピン３４、３４’の突出部を基部１２の横方向孔３２、３３に挿入する。
【００５８】
このとき、回転駆動工具４５が挿入され、第２のグラブネジ３９’の座部４４に達するまでグラブネジ３９の孔４８に挿通される。これを回転させると、グラブネジ３９’がピン３４’の収容部３８’に安定的に配置され、これによって部品のブロックがなされる（図１１）。
【００５９】
さらにピン３４は、図１２に明確に示されているように、第１のグラブネジ３９の座部４４に挿入された通常のドライバー４７を使用して安定的に配置され、これによりグラブネジ３９が収容部３８内に配置される。
【００６０】
したがって、この第１の実施形態では、どのように、本発明の結合装置が、本質的に、基部１２の細長い横方向孔３０の形態の座部Ｓ１の内側に挿入されたブロック用要素グループＧＢ（３９、３９’）を含み、これはブロックされるべきピン接続用要素グループＧＣ３４，３４’に作用するが、ピン接続用要素グループＧＣ３４、３４’は、肩部１１の座部Ｓ２内に配置され、肩部１１自体に対して横方向に形成された横方向孔３５から延び出しているか、を見ることができる。
【００６１】
より一般的には、この第１の実施形態に示されているものとは関係なく、本発明によれば、ブロック用要素グループＧＢが、基部または棚部１２の厚さＳＰ内に完全に含まれる座部Ｓ１内に所望に応じて挿入される（図７）ように提供される。
【００６２】
座部Ｓ１または孔３０の長手方向軸Ｘは、図１０に明確に示されるように、接近する方向ｄに対して垂直に延びて、肩部または第１のパネル１１を、基部または棚部または第２のパネル１２に締結させることに留意されたい。
【００６３】
座部Ｓ１は、方向ｄに垂直な軸Ｘを有し、単一のパネル１２（または１１）の後縁部Ｂ１からパネル１２（または１１）の内側に向かって延びることが確認される。
【００６４】
図面の実施例から明らかなように、ブロック用要素グループＧＢは、ブロックキンググループＧＢが用いられる基部または棚部１２の厚さＳＰのなかに含まれる座部Ｓ１の内部に挿入され、座部Ｓ１は、上記方向ｄと直交する軸Ｘに沿って、縁部Ｂ１から基部１２の内側に向かって延びている。
【００６５】
これは、図７および図８に示す実施例では、家具またはその部品に設けられた４つの結合装置すべてについて同様である。
【００６６】
見える唯一の孔が基部および／または棚部１２の後部にどのように形成されるかは明白である。
【００６７】
接続を達成するために設けられた別の孔は、肩部と基部および／または棚部との間の接合部に含められ、隠される。
【００６８】
当然ながらこの全ては、負荷を支え、製造されたのと同じ堅牢性を維持しなければならない家具の構造的要素を弱化させることはない。
【００６９】
図１４〜図１７は、家具の部品を接続するために使用される本発明の第２の実施形態による結合装置の図である。
【００７０】
第１の実施形態では、各結合装置には、ピン接続用要素グループＧＣに関連するブロック用要素グループＧＢが使用されるのに対し、この第２の実施形態では、家具の２つの肩部および基部および上部または棚部の両方に配置された同様の要素によって接続用要素グループが形成される。この実施例では前に説明した接続用要素グループＧＣを形成するこれらの要素が、ヒンジピン要素によって接続されている。特に、肩部、基部、上部または棚部の結合装置は、互いに対向する４５度の面を有する家具要素の間に配置される。
【００７１】
図１６および図１７は、上記のこの実施形態を明確に示している。
【００７２】
この実施形態において、同じ要素は同じ参照番号で示されている。
【００７３】
この別の非限定的な例では、前に図９の実施形態について説明したように、単一の基部１２には、その（組み立てたときには家具の後部に垂直に配置される）端部の両側部の各々の近傍に座部Ｓ１が設けられている。前記座部Ｓ１（ブロック用要素グループＧＢのための座部）は、本明細書では、細長いブッシュまたは管状要素３１がブロック挿入される横方向止まり孔３０として示されている。前記止まり孔３０は、止まり孔に垂直で、互いに離間している第１および第２の横方向止まり孔３２、３３と交差しており、これらの孔３２、３３は、第２のパネルまたは基部１２にも形成されている。これは、基部または棚部１２の両側について同様である。
【００７４】
それぞれの座部Ｓ２を形成するこれらの第１および第２の孔３２、３３の各々は、接続用要素グループＧＣの関節要素の端部を受容する。各関節要素は２つのピン３４”から構成され、この２つのピン３４”は、両ピンの対向する端部の位置で中央ヒンジ４９によって関節接続されて間接要素となっている。ピン３４”は、両方のパネルまたは肩部および基部１１、１２上に存在する前記孔３２、３３に挿入される。
【００７５】
単一の基部１２について説明したことは、実際にこの実施形態の結合装置の第２の半分を有する単一の肩部１１についても同じことの繰り返しとなることを留意されたい。
【００７６】
図１７は接続用要素グループＧＣの単一関節要素の配置を非常に明確にまとめてあり、図１４と図１５は完全に配設された状態を示す。
【００７７】
この実施形態の単一の結合装置の配置は、先の実施形態について説明したものと同様である。
【００７８】
このように、本実施形態の結合装置を構成する要素を配置し、肩部１１と基部１２または肩部１１と棚部または上部１２とを対向面２７に沿って４５度をなすように接触配置することによって、先の図９の実施例で説明したように、図１４、図１５および図１７の安定した結合および安定した接続が、グラブネジ３９、３９’によって得られる。
【００７９】
図１８および図１９は、本発明の結合装置の第３の実施形態を示す。
【００８０】
この第３の実施形態では、各基部または棚部１２に一対の座部Ｓ１が設けられ、各座部は、基部１２の各側面に平行に配置され、組み立てられたときに家具の後部に垂直な配置となる横方向止まり孔３０の形態であるので、装置は非常に単純化される。
【００８１】
この非限定的な実施例において、座部Ｓ１は、家具の後部から孔３０に導入される一般的なドライバー（図示せず）によって作動させることができるブロック用グラブネジ３９（この例では、ブロック用要素グループを画定する）を単に受容するだけである。
【００８２】
座部Ｓ１または止まり孔３０は、第２のパネルまたは基部１２にも形成され、孔の底端に近い領域において、それに垂直な横方向止まり孔３２と交差している。これは、基部または棚部１２の両側について同様である。
【００８３】
孔３２はピン３４の突出部を受容し、ピンの端部はそれぞれ横方向止まり孔３５の形態の各座部Ｓ２において、肩部１１内に配置される。前記止まり孔３５には、ピン３４のネジ山付き端部３７を受容する雌ネジ付きブッシュ３６がブロック挿入される。ピン３４は、前の実施例のように、肩部１１と基部１２とを安定的に相互接続するためにしっかりとブロックされる接続用要素グループＧＣを画定する。
【００８４】
前の実施例と同様に、ピン３４には、その突出部に、ブロック用グラブネジ３９の先端のための収容部３８が設けられる。
【００８５】
ドライバーを孔３０に導入することにより、ブロックキンググラブネジ３９が作動されて、孔３５に前に挿入されたピン３４の収容部３８内に座部４４を通して配置される。
【００８６】
図２０および図２１は、図１８および図１９に記載された実施形態の部品の配置の数をどのようにして２倍にできるかを示している。
【００８７】
この実施例では、各基部または棚部１２には、それぞれ、横方向止まり孔３０，３０’の形態の２対の座部Ｓ１、Ｓ１’が設けられる。前記孔３０、３０’は異なる長さを有し、互いに平行に、かつ組み立てられたときに家具の後部に対して垂直に配置され、基部１２の各側面と互いに平行に配置される。
【００８８】
前記座部Ｓ１、Ｓ１’の各々は、家具の後部から孔３０、３０’に導入された一般的なドライバーによって作動させることができるブロックキンググラブネジ３９を受容する。
【００８９】
基部１２には、各孔３０、３０’の底端に近い領域に一対の横方向止まり孔３２，３２’も設けられ、これは孔３０、３０’と交差するとともにそれに垂直である。この場合も、基部または棚部１２の両側で構造は同じである。
【００９０】
孔３２、３２’は、長さが異なるピン３４、３４’の突出部を受容し、両ピンの端部は、それぞれに対応する横方向止まり孔３５の形態の座部Ｓ２において肩部１１内に配置される。各ピン３４、３４’のネジ山付き端部３７を受容するための雌ネジ付きブッシュ３６が前記止まり孔３５にブロック挿入される。
【００９１】
先の実施例に関して、ピン３４、３４’には、その突出部に、それぞれのブロックキンググラブネジ３９の先端のための収容部３８が設けられる。
【００９２】
ドライバーを孔３０、３０’に導入することにより、ブロックキンググラブネジ３９を作動させて、座部４４を通し、各孔３５に予め挿入されていたそれぞれのピン３４、３４’の収容部３８のなかにそのネジを配置することができる。
【００９３】
この実施形態は、唯一目に見える孔が存在する家具の後部からどのように作動するかを見ることもできるが、他の部分は、本発明の装置を使用して部品同士を結合し、ブロックしたところに隠される。
【００９４】
図２２〜図２７は、本発明の第５の実施形態による結合装置を示しており、結合装置は家具の２つの肩部と基部および上部または棚部との間にも配置されている。
【００９５】
このさらなる実施形態では、既に説明した要素と類似の要素には同じ参照符号を付し、その要素は特に示さない限り同じ機能を発揮するものとしているが、本発明による結合装置のさらなる変形形態を示す。
【００９６】
結合装置はブロック用要素グループＧＢを含み、実施例では、ブロック用要素グループＧＢは、パネルまたは基部１２の孔３０に配置されたグラブネジ３９によって画定されていることに留意されたい。前記ブロック用要素グループＧＢすなわちグラブネジ３９は、ブロックされるピン３４によって画定される接続用要素グループＧＣも作用する。
【００９７】
ピン３４は、配置されてパネル１２に形成された孔３２から延び出し、その突出した自由端の１つのなかのピン３４接続用要素グループＧＣは、把持手段５０の形態である。
【００９８】
前記把持手段５０を配置することができるが、これは結合する際に他のパネルまたは肩部１１に対して横方向に設けられた孔３５’内に配置する。
【００９９】
図示の結合装置の特定の実施形態では、既に述べたように、把持手段５０は、ピン３４から延び出しており、ピン３８には、ブロックキンググラブネジ３９の先端のための収容部３８が設けられている。把持手段５０は、この実施例では、結合する際に他のパネル１１の前記孔３５’内に配置された拡張ピンの形態で形成されている。
【０１００】
特に、拡張ピン５０には、孔３５’の内壁との係合のための外歯５２を設けることができる。この実施例では、前記孔３５’は、プラグまたはダボ４３用の孔４２に対して拡大されている。拡張ピン５０には、基部１２の孔３２の外部側に当接する拡張フランジ５３が設けられ、様々な機能部と協働する。
【０１０１】
把持手段５０すなわち拡張ピンには、ピン３４の突出自由端上に形成される内部部分があり、ピンはテーパ状になって次いで自由端で拡大する拡大部分５４を終端とし、内部が中空の外側管状要素５５に摺動可能に挿入されており、その外側管状要素５５には、外側に歯部５２の前記歯が設けられ補完的な形態を有する。
【０１０２】
本発明による結合装置では、図２６および図２７に明確に示されるように、把持手段５０は、グラブネジ３９ブロック用要素グループＧＢによって作動させることができることに留意されたい。
【０１０３】
より具体的には、図２４は、基部または棚部１２から分解したときの結合装置を示す。把持手段すなわち拡張ピン５０は、図２５に明確に示されるように、それが配置されるべき基部１２の孔３２の外側にある。
【０１０４】
この図２５はまた、肩部１１がどのように準備され、図示された矢印に沿って結合できるようになるかを示している。
【０１０５】
図２６および図２７は、ネジドライバー４７を孔３０に導入して、第１の段階において、孔３５’の内面に対して歯部５２の拡張および係合を行う方法を示している。グラブネジ３９を収容部３８に対してねじ込み続けることによって、フランジ５３は第２の段階で基部１２の表面に当接する。
【０１０６】
このようにして、部品が接触配置され、部品が互いに挿入されると、肩部１１と基部１２はブロックされる。
【０１０７】
本発明の全ての実施形態は、まず、結合装置の様々な孔の可視性に関する問題および結合装置自体の問題がどのように解決されるかを示している。
【０１０８】
家具の後部に作動領域を形成することは、美観上有効な側面となる。
【０１０９】
さらに、孔の中に配置される可能性のあるキャップは全く見えず、このどのような孔もない家具の基部の上にものを載せる際にキャップが干渉して邪魔になることがない。
【０１１０】
このように、基部には物品の挿入に対する障害がなく、基部の上面においては最小限の突出すら存在しなくなっている。
【０１１１】
結合され、したがって隠されたままである部品上に残りの全ての孔を形成することにより、公知の技術では目に見えてしまう孔に対する観察者側からの可視性が全くなくなり高い外観上の美的価値が生まれる。
【０１１２】
本発明の結合装置の実施形態の構造の形態は、材料および組み立て方式と同様に、図面において純粋に例示的および非限定的な目的で示された形態とは当然ながら異なっていてもよい。
【０１１３】
したがって、明細書中で前に記載した目的が達成されている。
【０１１４】
本発明の技術範囲は、特許請求の範囲の記載によって規定される。
【図１】
2018529056.tif 000003
【図２】
2018529056.tif 000004
【図３】
2018529056.tif 000005
【図４】
2018529056.tif 000006
【図５】
2018529056.tif 000007
【図６】
2018529056.tif 000008
【図７】
2018529056.tif 000009
【図８】
2018529056.tif 000010
【図９】
2018529056.tif 000011
【図１０】
2018529056.tif 000012
【図１１】
2018529056.tif 000013
【図１２】
2018529056.tif 000014
【図１３】
2018529056.tif 000015
【図１４】
2018529056.tif 000016
【図１５】
2018529056.tif 000017
【図１６】
2018529056.tif 000018
【図１７】
2018529056.tif 000019
【図１８】
2018529056.tif 000020
【図１９】
2018529056.tif 000021
【図２０】
2018529056.tif 000022
【図２１】
2018529056.tif 000023
【図２２】
2018529056.tif 000024
【図２３】
2018529056.tif 000025
【図２４】
2018529056.tif 000026
【図２５】
2018529056.tif 000027
【図２６】
2018529056.tif 000028
【図２７】
2018529056.tif 000029
【国際調査報告】
2018529056.tif 000030
2018529056.tif 000031